(57)【要約】【課題】カバー層の異なる第１の光ディスクと第２の光ディスクとを正しく認識し得る。【解決手段】本発明は、ＣＤ用焦点ＦｃとＤＶＤ用焦点Ｆｄとの距離が変化せず、対物レンズ７の移動速度をそのまま表していることを利用してＣＤ用光ビームＬｃがディスク表面に合焦してから信号記録面に合焦するまでの面時間差ＭＴｒをＣＤ用焦点Ｆｃ及びＤＶＤ用焦点Ｆｄがディスク表面に到達する焦点時間差ＭＴｆによって正規化して検出時間比ＭＴｏを生成し、当該検出時間比ＭＴｏから未知ディスク１００ｘの種別を判別するようにした。【選択図】図９
2009245540.tif 000002
【特許請求の範囲】
【請求項１】
第１の光ディスク及び当該第１の光ディスクとはカバー層の厚さが異なる第２の光ディスクに対応する第１の光ビームを出射する第１の光源と、
他の光ディスクに対応し上記第１の光ビームとは波長が異なる他の光ビームを出射する他の光源と、
上記第１の光ビームを第１の焦点に集光することにより上記第１の光ビームを上記第１の光ディスクの信号記録面に照射し、また上記他の光ビームを第２の焦点に集光することにより上記他のビームを上記他の光ディスクの信号記録面に照射する対物レンズと、
種類が未知である未知ディスクに対して上記対物レンズを離隔又は近接させるフォーカス方向に一定の移動速度で駆動する駆動部と、
上記未知ディスクによって上記第１の光ビームが反射されてなる反射光ビームの光量に基づく反射光信号を生成する信号処理部と、
上記反射光信号を基に、上記未知ディスクの表面が検出された時点と上記信号記録面が検出された時点との面時間差を、上記未知ディスクの表面に上記第１の焦点が到達した時点と上記第２の焦点が到達した時点との焦点時間差によって正規化した正規化値を生成する正規化部と、
上記正規化値から上記未知ディスクが第１の光ディスク又は第２の光ディスクであるかを判別する判別部と
を有する光ディスク装置。
【請求項２】
上記正規化部は、
上記第２の焦点が上記未知ディスクの表面に到達した時点と上記第１の焦点が上記未知ディスクの信号記録面に到達した時点との時間差を上記面時間差とする
請求項１に記載の光ディスク装置。
【請求項３】
上記反射光信号は、
上記光ディスクに対するフォーカス方向のずれ量を表すフォーカスエラー信号である
請求項２に記載の光ディスク装置。
【請求項４】
上記第１の光ディスクは、
ＣＤ（Compact Disc）であり、
上記第２の光ディスクは、
デュアルディスクのＣＤ面である
請求項３に記載の光ディスク装置。
【請求項５】
上記反射光信号は、
上記反射光ビームの和光量を表すプルイン信号である
請求項２に記載の光ディスク装置。
【請求項６】
上記正規化部は、
上記第１の焦点が上記未知ディスクの表面に到達した時点と上記第１の焦点が上記未知ディスクの信号記録面に到達した時点との時間差を上記面時間差とする
請求項１に記載の光ディスク装置。
【請求項７】
第１の光ディスク及び当該第１の光ディスクとはカバー層の厚さが異なる第２の光ディスクに対応する第１の光ビームを第１の焦点に集光することにより上記第１の光ビームを上記第１の光ディスクの信号記録面に照射し、また他の光ディスクに対応し上記第１の光ビームとは波長が異なる他の光ビームを第２の焦点に集光することにより上記他のビームを上記他の光ディスクの信号記録面に照射する対物レンズを有する光ディスク装置におけるメディア種類判別方法において、
種類が未知である未知ディスクに対して上記対物レンズを離隔又は近接させるフォーカス方向に一定の移動速度で駆動する駆動ステップと、
上記未知ディスクによって上記第１の光ビームが反射されてなる反射光ビームの光量に基づく反射光信号を生成する信号処理ステップと、
上記反射光信号を基に、上記未知ディスクの表面が検出された時点と上記信号記録面が検出された時点との面時間差を、上記未知ディスクの表面に上記第１の焦点が到達した時点と上記第２の焦点が到達した時点との焦点時間差によって正規化して正規化値を生成する正規化ステップと、
上記正規化値から上記未知ディスクが第１の光ディスク又は第２の光ディスクであるかを判別する判別ステップと
を有するメディア種類判別方法。
【発明の詳細な説明】
【技術分野】
【０００１】
本発明は光ディスク装置及びメディア種類判別方法に関し、例えば複数種類の光ディスクに対応した光ディスク装置に適用して好適なものである。
【背景技術】
【０００２】
従来、光ディスク装置においては、記録媒体としての光ディスクに対して光ビームを照射することにより、当該光ディスクに情報を記録し、また当該光ディスクから情報を再生するようになされたものが広く普及している。
【０００３】
この光ディスク装置のなかには、波長約７８０［ｎｍ］の光ビームが用いられるＣＤ（Compact Disc）方式の光ディスク、及び波長約６６０［ｎｍ］の光ビームが用いられるＤＶＤ（Digital Versatile Disc）方式の光ディスクの双方に対応したものも提案されている。
【０００４】
さらに光ディスクは、ＣＤ方式及びＤＶＤ方式の双方において外径約１２０［ｍｍ］、厚さ約１．２［ｍｍ］の円盤状である点では共通するものの、当該光ディスクの表面から情報が記録された記録層までの間隔、いわゆるカバー層の厚さについては互いに異なっており、ＣＤ方式では約１．２［ｍｍ］、ＤＶＤ方式では約０．６［ｍｍ］となっている。
【０００５】
かかる光ディスク装置では、光ディスクが装填された場合、例えば光ビームが当該光ディスクにより照射されてなる反射光ビームの検出結果を基に、光ディスクの表面から記録層までの間隔を認識し、この間隔からＣＤ方式又はＤＶＤ方式といった光ディスクの種類を判別すると共に当該光ビームを記録層に正しく合焦させる手法が用いられている（例えば、特許文献１参照）。
【０００６】
図１に示すように、光ディスク装置では、例えば対物レンズを一旦光ディスクから遠ざけ、光ビームを照射しながら一定の移動速度で当該対物レンズを光ディスクに近づけると共に、このときの反射光量からフォーカスエラー信号ＳＦＥ及びプルイン信号ＳＰＩとを生成する（以下、これらの動作をサーチ動作と呼ぶ）。
【０００７】
そして光ディスク装置は、フォーカスエラー信号ＳＦＥ及びプルイン信号ＳＰＩから光ディスクの表面及び信号記録面を検出すると共に、当該表面及び信号記録面が検出された時間差から当該表面及び信号記録面の距離、すなわちカバー層の厚さを算出し、光ディスクの種類を判別するようになされている。
【特許文献１】特開２００３−１５７５４５公報（第２図）
【発明の開示】
【発明が解決しようとする課題】
【０００８】
ところで近年、例えばディジタルオーディオ情報を記録した音楽専用面であるＣＤ面の反対側に、映像情報などを記録したＤＶＤ面をその反射面が互いに逆方向になるように貼り合わせてなるデュアルディスクが発売されている。
【０００９】
このデュアルディスクでは、ＤＶＤ面のカバー層の厚さをＤＶＤ方式と同じ０．６［ｍｍ］に設定する一方、ＣＤ面のカバー層の厚さをＣＤ方式よりも薄い０．９［ｍｍ］に設定することにより、デュアルディスク全体の厚さをＣＤ方式の規格で定められた公差の範囲内である１．５［ｍｍ］に抑制するようになされている。
【００１０】
デュアルディスクでは、ＤＶＤ面におけるカバー層の厚さがＤＶＤ方式と同一である。このため光ディスク装置は、ＤＶＤメディアに最適化されたＤＶＤ用光ビームＬｄを照射することによりＤＶＤメディアと同様に情報を再生することが可能である。
【００１１】
これに対してデュアルディスクは、ＣＤ面に対してのカバー層の厚さがＣＤ方式の光ディスク（以下、これをＣＤメディアと呼ぶ）と異なっている。このため光ディスク装置は、ＣＤメディアに対して最適化されたＣＤ用光ビームＬｃをデュアルＣＤ面に照射した場合、カバー層の厚さの差異に起因する球面収差によって情報を再生できない可能性がある。
【００１２】
従って光ディスク装置では、装填された光ディスクがＣＤメディアであるか、若しくはデュアルディスクのＣＤ面（以下、これをデュアルＣＤ面と呼ぶ）であるかを判別することが要求される。
【００１３】
光ディスク装置は、従来と同様にしてＣＤメディア及びデュアルＣＤ面に対してサーチ動作を実行した場合、図２に示すように、カバー層の厚さに応じた時間差をもって光ディスクの表面と信号記録面とが検出されてなるフォーカスエラー信号ＳＦＥをそれぞれ生成することになる。
【００１４】
しかしながらＣＤメディアにおけるカバー層の厚さが１．２［ｍｍ］なのに対し、デュアルＣＤ面におけるカバー層の厚さは０．９［ｍｍ］であり、その比が１．５倍と非常に小さくなっている。
【００１５】
また光ディスク装置では、対物レンズを駆動するアクチュエータの感度ばらつきにより、同一の電圧を印加した場合であっても、光ディスク装置毎に対物レンズの移動速度が異なってしまう。
【００１６】
図３に示すように、対物レンズの移動速度が変化すると、フォーカスエラー信号ＳＦＥにおいて光ディスクの表面が検出されてから信号記録面が検出されるまでの時間差が変化してしまい、光ディスクがＣＤメディアであるか又はデュアルＣＤ面であるかを判別することができない。
【００１７】
このため一般的な光ディスク装置では、工場出荷前にアクチュエータの感度調整を行い、各光ディスク装置の対物レンズの移動速度を統一化するなどといった調整工程を必要としていた。
【００１８】
また光ディスク装置では、温度や経時劣化によってアクチュエータの感度が変化し、対物レンズの移動速度が変化してしまう。このため光ディスク装置では、単に光ディスクの表面と信号記録面との検出時間差によってＣＤメディアとデュアルＣＤ面とを判別する場合には、誤判別を引き起こす危険性があるという問題があった。
【００１９】
本発明は以上の点を考慮してなされたもので、対物レンズの移動速度の変化に拘わらず、カバー層の異なる第１の光ディスク又は第２の光ディスクを正しく認識し得る光ディスク装置及びメディア種類判別方法を提案しようとするものである。
【課題を解決するための手段】
【００２０】
かかる課題を解決するため本発明の光ディスク装置においては、  第１の光ディスク及び当該第１の光ディスクとはカバー層の厚さが異なる第２の光ディスクに対応する第１の光ビームを出射する第１の光源と、他の光ディスクに対応し第１の光ビームとは波長が異なる他の光ビームを出射する他の光源と、第１の光ビームを第１の焦点に集光することにより第１の光ビームを第１の光ディスクの信号記録面に照射し、また他の光ビームを第２の焦点に集光することにより他のビームを他の光ディスクの信号記録面に照射する対物レンズと、種類が未知である未知ディスクに対して対物レンズを離隔又は近接させるフォーカス方向に一定の移動速度で駆動する駆動部と、未知ディスクによって第１の光ビームが反射されてなる反射光ビームの光量に基づく反射光信号を生成する信号処理部と、反射光信号を基に、未知ディスクの表面が検出された時点と信号記録面が検出された時点との面時間差を、未知ディスクの表面に第１の焦点が到達した時点と第２の焦点が到達した時点との焦点時間差によって正規化した正規化値を生成する正規化部と、正規化値から未知ディスクが第１の光ディスク又は第２の光ディスクであるかを判別する判別部とを設けるようにした。
【００２１】
これにより、一定の距離を表し移動速度に応じてのみ変化する焦点時間差によってカバー層の厚さ及び移動速度に応じて変化する面時間差を正規化することができるため、面時間差から対物レンズの移動速度の影響を排除し、未知ディスクの表面と信号記録面との距離に応じた正規化値から光ディスクの種類を判別することができる。
【００２２】
また本発明のメディア種類判別方法においては、第１の光ディスク及び当該第１の光ディスクとはカバー層の厚さが異なる第２の光ディスクに対応する第１の光ビームを第１の焦点に集光することにより第１の光ビームを第１の光ディスクの信号記録面に照射し、また他の光ディスクに対応し第１の光ビームとは波長が異なる他の光ビームを第２の焦点に集光することにより他のビームを他の光ディスクの信号記録面に照射する対物レンズを有する光ディスク装置におけるメディア種類判別方法において、種類が未知である未知ディスクに対して対物レンズを離隔又は近接させるフォーカス方向に一定の移動速度で駆動する駆動ステップと、未知ディスクによって第１の光ビームが反射されてなる反射光ビームの光量に基づく反射光信号を生成する信号処理ステップと、反射光信号を基に、未知ディスクの表面が検出された時点と信号記録面が検出された時点との面時間差を、未知ディスクの表面に第１の焦点が到達した時点と第２の焦点が到達した時点との焦点時間差によって正規化して正規化値を生成する正規化ステップと、正規化値から未知ディスクが第１の光ディスク又は第２の光ディスクであるかを判別する判別ステップとを設けるようにした。
【００２３】
これにより、一定の距離を表し移動速度に応じてのみ変化する焦点時間差によってカバー層の厚さ及び移動速度に応じて変化する面時間差を正規化することができるため、面時間差から対物レンズの移動速度の影響を排除し、未知ディスクの表面と信号記録面との距離に応じた正規化値から光ディスクの種類を判別することができる。
【発明の効果】
【００２４】
本発明によれば、一定の距離を表し移動速度に応じてのみ変化する焦点時間差によってカバー層の厚さ及び移動速度に応じて変化する面時間差を正規化することができるため、面時間差から対物レンズの移動速度の影響を排除し、未知ディスクの表面と信号記録面との距離に応じた正規化値から光ディスクの種類を判別することができ、かくして対物レンズの移動速度の変化に拘わらず、カバー層の異なる第１の光ディスクと第２の光ディスクとを正しく認識し得る光ディスク装置及びメディア種類判別方法を実現できる。
【発明を実施するための最良の形態】
【００２５】
以下、図面について、本発明の一実施の形態を詳述する。
【００２６】
（１）光ディスク装置の構成
図１において、光ディスク装置１は、図示しない外部機器からの指示に基づき、光記録媒体としての光ディスク１００に情報を記録し、また当該光ディスク１００に記録された情報を再生するようになされている。
【００２７】
また光ディスク装置１は、ＣＤ（Compact Disc）方式、ＤＶＤ（Digital Versatile Disc）方式又はＢＤ（Blu-ray Disc、登録商標）方式といった３方式のいずれかでなる光ディスク１００に対応し得るようになされている。便宜上、以下ではそれぞれＣＤメディア１００ｃ、ＤＶＤメディア１００ｄ、及びＢＤメディア１００ｂと呼ぶ。
【００２８】
因みにＣＤメディア１００ｃ、ＤＶＤメディア１００ｄ、及びＢＤメディア１００ｂは、外径が約１２０［ｍｍ］、厚さが約１．２［ｍｍ］の円盤状である点については共通しているものの、情報の記録時及び再生時に使用される光ビームの波長、当該光ビームを集光する対物レンズの開口数、光ビームが照射される表面から情報を記録する記録層までの間隔（いわゆるカバー層の厚さ）が互いに異なっている。
【００２９】
具体的には、ＣＤ方式、ＤＶＤ方式及びＢＤ方式において、光ビームの波長がそれぞれ約７８０［ｎｍ］、約６６０［ｎｍ］及び約４０５［ｎｍ］、対物レンズの開口数がそれぞれ約０．４５、約０．６及び約０．８５、カバー層の厚さ（以下、これを層厚ＴＬと呼ぶ）が約１．２［ｍｍ］、約０．６［ｍｍ］及び約０．１［ｍｍ］とそれぞれ規定されている。
【００３０】
光ディスク装置１は、制御部２のシステム制御部３によって全体を統括制御するようになされている。このシステム制御部３は、図示しないＣＰＵ（Central Processing Unit）を中心に構成されており、図示しないＲＯＭ（Read Only Memory）から基本プログラムやメディア種類判別プログラム等の各種プログラムを読み出し、これを図示しないＲＡＭ（Random Access Memory）に展開することにより、メディア種類判別処理やフォーカス制御開始処理等の各種処理を実行するようになされている。
【００３１】
光ディスク装置１は、例えば光ディスク１００が装填された状態で、図示しない外部機器からの再生指示を受け付けると、当該光ディスク１００に記録されている情報を読み出すようになされている。
【００３２】
実際上、サーボ制御部４は、システム制御部３の指示に基づき、図示しないスピンドルモータを駆動制御することにより光ディスク１００を回転させると共に、光ピックアップ５から当該光ディスク１００に光ビームを照射させる。
【００３３】
この光ピックアップ５は、いわゆる３波長対応型となっており、波長約７８０［ｎｍ］でなるＣＤ用光ビームを出射するＣＤ用レーザダイオード６ｃ、波長約６６０［ｎｍ］でなるＤＶＤ用光ビームを出射するＤＶＤ用レーザダイオード６ｄ、及び波長約４０５［ｎｍ］でなるＢＤ用光ビームを出射するＢＤ用レーザダイオード６ｂ（以下、これらを総称してレーザダイオード６と呼ぶ）を有している。
【００３４】
光ピックアップ５は、光ディスク１００の種類（すなわちＣＤメディア１００ｃ、ＤＶＤ用メディア１００ｄ又はＢＤメディア１００ｂのいずれであるか）に応じたレーザダイオード６から光ビームを出射させるようになされている。例えば光ディスク１００がＢＤメディア１００ｂであれば、光ピックアップ５は、ＢＤ用レーザダイオード６ｂからＢＤ用光ビームＬｂを出射する。その後光ピックアップ５は、図示しない光学部品を介した後、対物レンズ７により当該光ビームを集光するようになされている。
【００３５】
対物レンズ７は、アクチュエータ８により、光ビームの光軸に沿って光ディスク１００へ近接される方向又は離隔される方向、すなわちフォーカス方向へ駆動されるようになされている。これは、回転される光ディスク１００がいわゆる面ブレ等を生じた際に、対物レンズ７を当該光ディスク１００に追従させる。
【００３６】
また対物レンズ７は、複数の光学部品の組み合わせにより構成され（図示せず）、同時に各波長のレーザに対して焦点を形成する波長選択多焦点レンズとして作用するようになされている。また対物レンズ７は、波長選択のために開口の低い波長では、開口制限を受けたり、回折により光路が変えられたりすることによって、不要になった光（以下、これを不使用光と呼ぶ）により複数の焦点を持つ可能性がある。
【００３７】
実際上、対物レンズ７は、ＣＤ用光ビームＬｃを開口数約０．４５で集光し、ＤＶＤ用光ビームＬｄを開口数約０．６で集光し、ＢＤ用光ビームＬｂを開口数約０．８５で集光することができる一方、複数の集光点で不使用光Ｕを集光することになる。
【００３８】
実際上、対物レンズ７は、ＣＤ用光ビームを開口数約０．４５で集光し、ＤＶＤ用光ビームを開口数約０．６で集光し、ＢＤ用光ビームを開口数約０．８５で集光することができる一方、同時に他の開口数でも光ビームを集光する。
【００３９】
光ピックアップ５は、光ビームが光ディスク１００により反射されてなる反射光ビームが対物レンズ７に入射されると、図示しない光学部品を介して、これをフォトディテクタ９に照射させる。
【００４０】
フォトディテクタ９は、反射光ビームが照射される面に複数の検出領域を有しており、検出領域ごとに光電変換を行うことにより複数の受光信号を生成し、これらを信号生成部１０へ供給する。
【００４１】
信号生成部１０は、受光信号を基に所定の演算処理を行うことにより、反射光ビームの光量を表すプルイン信号ＳＰＩ、光ビームの焦点と光ディスク１００の記録層とのずれ量を表すフォーカスエラー信号ＳＦＥ、光ディスク１００に記録されている情報を表す再生ＲＦ信号ＳＲＦ等を生成し、これらを制御部２へ供給する。
【００４２】
制御部２のサーボ制御部４は、フォーカスエラー信号ＳＦＥに基づき、当該フォーカスエラー信号ＳＦＥを値「０」に近づけるようなフォーカス駆動信号ＳＤＦをアクチュエータ８へ供給することにより、光ビームの焦点を光ディスク１００の記録層に近づけさせるように、対物レンズ７をフォーカス方向に移動させる。
【００４３】
すなわちサーボ制御部４は、アクチュエータ８を介して対物レンズ７をフォーカス方向にフィードバック制御することにより、光ビームの焦点を光ディスク１００の記録層に追従させるようになされている。
【００４４】
さらに制御部２は、図示しない信号処理部によって再生ＲＦ信号ＳＲＦに対し所定の復調処理や復号化処理等を施すことにより、光ディスク１００に記録されている情報を再生し、これを外部機器（図示せず）へ送出するようになされている。
【００４５】
また光ディスク装置１は、例えば光ディスク１００が装填された状態で、図示しない外部機器からの記録指示及び記録すべきデータ等を受け付けると、当該光ディスク１００に情報を記録するようになされている。
【００４６】
この場合にもサーボ制御部４は、光ディスク１００から情報を再生する場合と同様に、アクチュエータ８を介して対物レンズ７をフィードバック制御することにより、光ビームの焦点を光ディスク１００の記録層に追従させるようになされている。
【００４７】
このように光ディスク装置１は、光ディスク１００に光ビームを照射し、反射光ビームの検出結果を基に対物レンズ７をフォーカス方向にフィードバック制御する、いわゆるフォーカス制御を行うことにより、光ビームの焦点を光ディスク１００の記録層に追従させるようになされている。
【００４８】
（２）メディア種類判別
（２−１）ＢＤメディア及びＤＶＤメディアの判別
ところで光ディスク１００は、上述したように、記録時及び再生時に照射すべき光ビームの波長及びカバー層の厚さが、種類ごとに異なっている。
【００４９】
このため光ディスク装置１は、光ディスク１００の種類に応じて、光ビームの波長、すなわちＣＤ用レーザダイオード６ｃ、ＤＶＤ用レーザダイオード６ｄ又はＢＤ用レーザダイオード６ｂのいずれから光ビームを出射させるかと、フォーカス方向に関して光ビームの焦点を合わせる位置、すなわちフォーカス方向に関する対物レンズ７の位置とを切り換える必要がある。
【００５０】
そこで光ディスク装置１は、新たに種類が未知の光ディスク１００（以下、これを未知ディスク１００ｘと呼ぶ）が装填されると、まず当該未知ディスク１００ｘの種類を判別するようになされている。
【００５１】
具体的に光ディスク装置１は、まずＢＤ用レーザダイオード６ｂからＢＤ用光ビームＬｂを出射することにより、未知ディスク１００ｘに対して当該ＢＤ用光ビームＬｂを照射し、当該未知ディスク１００ｘがＢＤメディア１００ｂであるか否かを判別する。
【００５２】
すなわち光ディスク装置１は、アクチュエータ８に所定の電圧を印加することにより対物レンズ７を一定の移動速度でフォーカス方向に移動させながら未知ディスク１００ｘに対してＢＤ用光ビームＬｂを照射すると共に、フォーカスエラー信号ＳＦＥを監視する（以下、一連の動作をサーチ動作と呼ぶ）。これにより光ディスク装置１は、当該フォーカスエラー信号ＳＦＥから、未知ディスク１００ｘの表面（以下、これをディスク表面と呼ぶ）に応じた表面反射パターンを検出すると共に、信号記録面に応じた記録面反射パターンを検出することができる。
【００５３】
そして光ディスク装置１は、表面反射パターンが検出された時間と記録面反射パターンが検出された時間との検出時間差からディスク表面と信号記録面との距離（すなわちカバー層の厚さ）を算出し、未知ディスク１００ｘがＢＤメディア１００ｂであるか否かを判別する。
【００５４】
ここで光ディスク装置１は、当該未知ディスク１００ｘがＢＤメディア１００ｂでなかった場合、今度はレーザダイオード６ｄからＤＶＤ用光ビームＬｄを出射することにより当該未知ディスク１００ｘに対してＤＶＤ用光ビームＬｄを照射し、同様にして当該未知ディスク１００ｘがＤＶＤ用メディア１００ｄであるか否かを判別する。
【００５５】
さらに光ディスク装置１は、当該未知ディスク１００ｘがＤＶＤ用メディア１００ｄでもなかった場合、レーザダイオード６ｃからＣＤ用光ビームＬｃを出射することにより当該未知ディスク１００ｘに対してＣＤ用光ビームＬｃを照射し、当該未知ディスク１００ｘがＣＤ用メディア１００ｄであるかデュアルＣＤ面であるか否かを判別するＣＤ判別処理を実行するようになされている。
【００５６】
（２−２）ＣＤメディアとデュアルＣＤ面との判別
ところでデュアルディスク方式では、外径が約１２０［ｍｍ］の円盤状である点については他の方式と共通しているものの、厚さが約１．５［ｍｍ］である点が他の方式と異なっている。このデュアルディスク方式では、ＤＶＤ面においては光ビームの波長、対物レンズの開口数、カバー層の厚さのいずれの点においてもＤＶＤ方式と共通している。
【００５７】
一方デュアルディスク方式では、ＣＤ面における光ビームの波長が約７８０［ｎｍ］、対物レンズの開口数が約０．４５である点はＣＤ方式と共通しているものの、カバー層の厚さが０．９［ｍｍ］である点がＣＤ方式とは異なっている。
【００５８】
光ディスク装置１は、このデュアルディスクのＤＶＤ面とＤＶＤ方式との共通性から、デュアルディスクのＤＶＤ面（以下、これをデュアルＤＶＤ面と呼ぶ）に記録された情報をＤＶＤ方式と同一処理によって再生することができる。しかし光ディスク装置１は、ＣＤ方式とデュアルディスクのＣＤ面（以下、これをデュアルＣＤ面と呼ぶ）とでカバー層の厚さが異なりＣＤ用光ビームＬｃに発生する球面収差が異なるため、デュアルＣＤ面に記録された情報をＣＤ方式と同一処理によって再生することができない。
【００５９】
そこで光ディスク装置１は、未知ディスク１００ｘがＢＤメディア１００ｂ及びＤＶＤの判別メディア１００ｄのいずれでもない場合には、未知ディスク１００ｘがＣＤ方式かデュアルＣＤ面であるか否かを判別する。そして光ディスク装置１は、未知ディスク１００ｘがデュアルＣＤ面であると判別した場合には、収差補正機構（図示しない）によって当該カバー層において発生する球面収差を補正するようになされている。
【００６０】
（２−２−１）フェイクパターンの発生
ところで光ディスク装置１では、上述したように３種類の光ディスク１００に対応させるために波長選択多焦点レンズとして作用する対物レンズ７を使用している。図５に示すように、対物レンズ７は、複数の焦点位置に焦点を結ぶようになされており、光ディスク１００の種類に応じた波長の光ビームが入射されたときに当該光ディスク１００の種類に応じた開口数になるように設計されている。
【００６１】
すなわちこの対物レンズ７に例えばＣＤ用光ビームＬｃを入射すると、対物レンズ７が波長選択多焦点レンズとして作用することに起因してＣＤ用光ビームＬｃの波長に応じたＣＤ用焦点Ｆｃ以外の位置（以下、これを不正位置と呼ぶ）においても焦点を結んでしまうことになる。因みに光ディスク装置１では、不正位置で焦点を結ぶ光ビーム（以下、これを不使用光と呼ぶ）Ｕを使用することはない。またこの不使用光Ｕは、その焦点が光ディスク１００から離隔しているため、情報の再生及び記録の際に大きな問題とはならない。
【００６２】
しかしながら光ディスク装置１は、メディア種類判別処理において、対物レンズ７をフォーカス方向に移動させながら未知ディスク１００ｘにＣＤ用光ビームＬｃを照射し、ディスク表面及び信号記録面を検出するため、未知ディスク１００ｘに対して不使用光Ｕを合焦させてしまうことになる。
【００６３】
すなわち光ディスク装置１は、未知ディスク１００ｘに対してＣＤ用光ビームＬｃを照射した場合、反射光ビームの和光量でなるプルイン信号ＳＰＩからディスク表面によって反射されたＣＤ用光ビームＬｃと共に、ディスク表面によって反射された不使用光Ｕを表面フェイクパターンＰＳｆ（ＰＳｆ１〜ＰＳｆ３）として検出することになる。
【００６４】
この表面フェイクパターンＰＳｆ１は、主にＤＶＤメディア１００ｄに応じたＤＶＤ用焦点Ｆｄに対応するものであり、表面フェイクパターンＰＳｆ２及びＰＳｆ３は、ＢＤ用メディア１００ｂに応じたＢＤ用焦点Ｆｂや対物レンズ７として使用される光学素子の影響によるものである。なおこの表面フェイクパターンＰＳｆ２及びＰＳｆ３は、その振幅が小さく、ＣＤ判別処理において殆ど影響を及ぼさないため、以下説明を省略する。
【００６５】
また光ディスク装置１は、同様にしてプルイン信号ＳＰＩから信号記録面によって反射されたＣＤ用光ビームＬｃを記録面反射パターンＰＲｒとして検出すると共に、当該記録面反射パターンＰＲｒの後に信号記録面によって反射された不使用光Ｕを記録面フェイクパターンＰＲｆ（ＰＲｆ１〜ＰＲｆ３）として検出することになる。なおこの記録面フェイクパターンＰＲｆは、記録面反射パターンＰＲｒの後に検出され、ＣＤ判別処理において殆ど影響を及ぼさないため、以下説明を省略する。
【００６６】
ところで対物レンズ７では、開口数をＣＤメディア１００ｃに対応する０．４５からＢＤメディア１００ｂに対応する０．８５まで大きく変化させる必要があることから、光利用効率が低下する傾向にある。
【００６７】
例えば対物レンズ７では、ＣＤ用光ビームＬｃの光利用効率が約１２％、ＤＶＤ用光ビームＬｄの光利用効率が約３０％、ＢＤ用光ビームＬｂの光利用効率が６５％に設定されており、ＣＤ用光ビームＬｃに対する光利用効率が特に低くなっている。
【００６８】
すなわち光ディスク装置１では、光ビームとしてＣＤ用光ビームＬｃを出射する場合には、対物レンズ７に入射されたＣＤ用光ビームＬｃのうち約８８％が不使用光Ｕとなる。このため光ディスク装置１は、未知ディスク１００ｘに対してＣＤ用光ビームＬｃを照射する場合、図６（Ｂ）に示すように、プルイン信号ＳＰＩにおける表面反射パターンＰＳｒと記録面反射パターンＰＲｒとの間に大きい振幅でなる表面フェイクパターンＰＳｆ１を出現させることになる。
【００６９】
また光ディスク装置１では、図６（Ａ）に示すように、フォーカスエラー信号ＳＦＥについても同様に表面反射パターンＥＳｒと記録面反射パターンＥＲｒとの間に大きい振幅でなる表面フェイクパターンＥＳｆ１を出現させることになる。以下説明の便宜上、フォーカスエラー信号ＳＦＥについてのみ説明し、同様の挙動を示すプルイン信号ＳＰＩについての説明を省略する。
【００７０】
このように光ディスク装置１では、ＣＤ用光ビームＬｃのＣＤ用焦点Ｆｃをディスク表面に到達させてから不使用光ＵのＤＶＤ用焦点Ｆｄをディスク表面に到達させ、その後ＣＤ用光ビームＬｃのＣＤ用焦点Ｆｃを信号記録面に到達させるようになされている。
【００７１】
光ディスク装置１では、対物レンズ７の特性によりＣＤ用焦点ＦｃとＤＶＤ用焦点Ｆｄとを形成するため、未知ディスク１００ｘの種類に応じてＣＤ用焦点ＦｃからＤＶＤ用焦点Ｆｄまでの距離が変化することはない。このため光ディスク装置１は、ＣＤメディア１００ｃに対してサーチ動作を行った場合であっても、デュアルＣＤ面に対してサーチ動作を行った場合であっても、双方に対応するフォーカスエラー信号ＳＦＥにおいて表面反射パターンＥＳｒを出現させてからほぼ同一のタイミングで表面フェイクパターンＥＳｆ１を出現させることになる。
【００７２】
また光ディスク装置１は、ＣＤ用焦点Ｆｃをディスク表面に到達させてからカバー層の厚みだけ対物レンズ７を移動させたときにＣＤ用焦点Ｆｃを信号記録面に到達させる。このため光ディスク装置１は、フォーカスエラー信号ＳＦＥに表面反射パターンＥＳｒを出現させてからＣＤメディア１００ｃ又はデュアルＣＤ面のカバー層の厚みに応じたタイミングでフォーカスエラー信号ＳＦＥに記録面反射パターンＥＲｒを出現させることになる。
【００７３】
すなわち図６（Ａ）に示すように、未知ディスク１００ｘがＣＤメディア１００ｃであった場合、光ディスク装置１は、表面反射パターンＥＳｒからＣＤ用焦点Ｆｃがディスク表面に到達したことを検出した後、焦点時間差Ｔｆだけ経過後に、表面フェイクパターンＥＳｆ１からＤＶＤ用焦点Ｆｄがディスク表面に到達したことを検出する。その後光ディスク装置１は、ＤＶＤ用焦点Ｆｄがディスク表面に到達したことを検出してから１．２［ｍｍ］でなるＣＤメディア１００ｃのカバー層の厚みに応じた面検出時間差Ｔｃｄの経過後、記録面反射パターンＥＲｒからＣＤ用焦点Ｆｃが信号記録面に到達したことを検出する。
【００７４】
これに対して図６（Ｃ）に示すように、未知ディスク１００ｘがデュアルＣＤ面であった場合、光ディスク装置１は、ＣＤメディア１００ｃのときと同様に、ＣＤ用焦点Ｆｃがディスク表面に到達したことを検出し、さらに焦点時間差Ｔｆだけ経過後にＤＶＤ用焦点Ｆｄがディスク表面に到達したことを検出する。そして光ディスク装置１は、０．９［ｍｍ］でなるデュアルＣＤ面のカバー層の厚みに応じた面検出時間差Ｔｄｌの経過後、ＤＶＤ用焦点Ｆｄがディスク表面に到達したことを検出する。
【００７５】
言い換えるとＣＤメディア１００ｃとデュアルＣＤ面とで焦点時間差Ｔｆが同一であるものの、面検出時間差Ｔｃｄ及びＴｄｌが異なっている。このため次式によって表される焦点時間差Ｔｆに対する面検出時間差Ｔｃｄ及びＴｄｌの比（以下、これらをそれぞれ検出時間比ｎＴｃｄ及びｎＴｄｈと呼ぶ）は、それぞれカバー層の厚さに応じた値となり、デュアルＣＤ面の検出時間比ｎＴｄｈと比してＣＤメディア１００ｃの検出時間比ｎＴｃｄが大きくなる。
【００７６】
【数１】
2009245540.tif 000003
【００７７】
【数２】
2009245540.tif 000004
【００７８】
例えば光ディスク装置１は、環境の変化などにより対物レンズ７の移動速度が想定よりも大きくなった場合、ＣＤ用焦点Ｆｃをディスク表面に到達させてから当該移動速度の変化に応じて速やかにＤＶＤ用焦点Ｆｄをディスク表面に到達させ、その後速やかにＣＤ用焦点Ｆｃを信号記録面に到達させることになる。
【００７９】
この結果光ディスク装置１では、図７（Ａ）及び（Ｃ）に示すように、移動速度の増大に応じて表面反射パターンＥＳｒ、表面フェイクパターンＥＳｆ１及び記録面反射パターンＥＲｒの検出間隔が小さくなるため、焦点時間差Ｔｆが小さくなると同時に、面検出時間差Ｔｃｄ及びＴｄｌも小さくなる。
【００８０】
このため光ディスク装置１では、ＣＤ用焦点Ｆｃがディスク表面に到達したことを検出してからＣＤ用焦点Ｆｃが信号記録面に到達したことを検出するまでの総検出時間ＴＡｃ及びＴＡｄを小さくさせるものの、検出時間比ｎＴｃｄ及びｎＴｄｈをほぼ一定にすることができる。
【００８１】
また光ディスク装置１は、逆に対物レンズ７の移動速度が想定よりも小さくなった場合、ＣＤ用焦点Ｆｃをディスク表面に到達させてから当該移動速度の変化に応じてゆっくりとＤＶＤ用焦点Ｆｄをディスク表面に到達させ、その後ゆっくりとＣＤ用焦点Ｆｃを信号記録面に到達させることになる。
【００８２】
この結果光ディスク装置１では、図８（Ａ）及び（Ｃ）に示すように、移動速度の増大に応じて表面反射パターンＥＳｒ、表面フェイクパターンＥＳｆ１及び記録面反射パターンＥＲｒの検出間隔が大きくなるため、焦点時間差Ｔｆが大きくなると同時に、面検出時間差Ｔｃｄ及びＴｄｌも大きくなる。このため光ディスク装置１では、総検出時間ＴＡｃ及びＴＡｄを小さくさせるものの、検出時間比ｎＴｃｄ及びｎＴｄｌをほぼ一定にすることができる。
【００８３】
そこで本実施の形態による光ディスク装置１では、未知ディスク１００ｘがＣＤメディア１００ｃであるかデュアルＣＤ面であるかを検出時間比ｎＴｃｄ及びｎＴｄｌを用いて判別するようにしている。次に、ＣＤ判別処理の具体的な処理内容について説明する。
【００８４】
（２−２−２）ＣＤ判別処理
光ディスク装置１のシステム制御部３は、ＤＶＤ判別処理の結果、未知ディスク１００ｘがＤＶＤメディア１００ｄでないと判別されると、ＣＤ判別処理を実行する。
【００８５】
システム制御部３は、サーチ動作を開始し、アクチュエータ８に所定の電圧を印加することにより対物レンズ７を一定の移動速度でフォーカス方向に移動させながら未知ディスク１００ｘに対してＣＤ用光ビームＬｃを照射すると共に、図９（Ａ）に示すように、フォーカスエラー信号ＳＦＥを監視する。
【００８６】
システム制御部３は、時点ｔ１においてフォーカスエラー信号ＳＦＥの信号レベルが所定の表面検出閾値以上となると、ＣＤ用焦点Ｆｃが未知ディスク１００ｘのディスク表面の近傍にあると認識し、当該フォーカスエラー信号ＳＦＥがゼロクロスするのを待ち受ける。
【００８７】
システム制御部３は、時点ｔ２においてフォーカスエラー信号ＳＦＥの信号レベルがゼロになるゼロクロス点ＺＣｓを検出すると、ＣＤ用焦点Ｆｃがディスク表面に到達したと認識し、時間計測信号ＳＭ（図９（Ｃ））をローレベルからハイレベルに立ち上げ、図示しないカウンタによって時間の計測を開始する。
【００８８】
システム制御部３は、時点ｔ３においてフォーカスエラー信号ＳＦＥの信号レベルが所定のフェイク検出閾値以上となると、ＤＶＤ用焦点Ｆｄがディスク表面の近傍にあると認識し、当該フォーカスエラー信号ＳＦＥがゼロクロスするのを待ち受ける。
【００８９】
システム制御部３は、時点ｔ４においてフォーカスエラー信号ＳＦＥの信号レベルがゼロになるゼロクロス点ＺＣｆを検出すると、ＤＶＤ用焦点Ｆｄがディスク表面に到達したと認識し、記録層検出信号ＳＤをローレベルからハイレベルに立ち上げる。
【００９０】
システム制御部３は、このときのカウンタの時間をＣＤ用焦点ＦｃとＤＶＤ用焦点Ｆｄとがディスク表面に到達したときの時間差である焦点時間差ＭＴｆとしてＲＡＭに一時記憶し、当該時点ｔ４から所定の待時間が経過した時点ｔ５において記録層検出信号ＳＤをハイレベルからローレベルに立ち下げる。
【００９１】
システム制御部３は、時点ｔ６においてフォーカスエラー信号ＳＦＥの信号レベルが所定の記録面検出閾値以上となると、ＣＤ用焦点Ｆｃが信号記録面の近傍にあると認識し、当該フォーカスエラー信号ＳＦＥがゼロクロスするのを待ち受ける。
【００９２】
システム制御部３は、時点ｔ７においてフォーカスエラー信号ＳＦＥの信号レベルがゼロになるゼロクロス点ＺＣｒを検出すると、ＣＤ用焦点Ｆｃが信号記録面に到達したと認識し、記録層検出信号ＳＤをローレベルからハイレベルに立ち上げ、このときのカウンタの時間をＣＤ用焦点Ｆｃがディスク表面に到達してから信号記録面に到達するまでの総検出時間ＭＴＡとしてＲＡＭに一時記憶する。
【００９３】
またシステム制御部３は、当該時点ｔ７から所定の待時間が経過した時点ｔ８において記録層検出信号ＳＤをハイレベルからローレベルに立ち下げると、サーチ動作を終了する。
【００９４】
システム制御部３は、ＲＡＭから総検出時間ＭＴＡ及び焦点時間差ＭＴｆを読み出すと共に、総検出時間ＭＴＡから焦点時間差ＭＴｆを減算することにより、ＤＶＤ用焦点Ｆｄがディスク表面に到達してからＣＤ用焦点Ｆｃが信号記録面に到達するまでの面時間差ＭＴｒを算出する。さらにシステム制御部３は、面時間差ＭＴｒを焦点時間差ＭＴｆによって除算することにより、検出時間比ＭＴｏを算出する。
【００９５】
システム制御部３は、検出時間比ＭＴｏが所定のＣＤ閾値以上である場合には、検出時間比ＭＴｏがＣＤメディア１００ｃの検出時間比ｎＴｃｄに対応しており、未知ディスク１００ｘがカバー層の厚いＣＤメディア１００ｃであると判別し、ＣＤ判別処理を終了する。
【００９６】
一方システム制御部３は、検出時間比ＭＴｏがＣＤ閾値未満である場合には、検出時間比ＭＴｏがデュアルＣＤ面の検出時間比ｎＴｄｌに対応しており、未知ディスク１００ｘがカバー層の薄いデュアルＣＤ面であると判別し、ＣＤ判別処理を終了する。
【００９７】
このように光ディスク装置１のシステム制御部３は、ＣＤメディア１００ｃ及びデュアルＣＤに対してサーチ動作を行った際に得られるフォーカスエラー信号ＳＦＥにおいて面表面フェイクパターンＰＳｆ１がほぼ同一タイミングで出現するものの、カバー層の厚さに応じて記録面反射パターンＰＲｒが異なるタイミングで出現することを利用する。
【００９８】
すなわちシステム制御部３は、ＣＤ用焦点ＦｃとＤＶＤ用焦点Ｆｄとの距離が一定であるため対物レンズ７の移動速度のみに応じて変化する焦点時間差ＭＴｆを測定すると共に、カバー層の厚さ及び対物レンズ７の移動速度に応じて変化する面時間差ＭＴｒの値を当該焦点時間差ＭＴｆによって正規化する。これによりシステム制御部３は、対物レンズ７の移動速度によって変化しない検出時間比ＭＴｏを算出し、当該検出時間比ＭＴｏに基づいて未知ディスク１００ｘがＣＤメディア１００ｃであるかデュアルＣＤ面であるか否かを判別し得るようになされている。
【００９９】
（３）メディア種類判別処理
次に、光ディスク装置１がメディア種類判別プログラムに従って実行するＣＤ判別処理について、図１０に示すフローチャートを用いて説明する。
【０１００】
光ディスク装置１のシステム制御部３は、ＤＶＤ判別処理によって未知ディスク１００ｘがＤＶＤでないと判別すると、ＣＤ判別処理手順を開始し、ステップＳＰ１へ移る。
【０１０１】
ステップＳＰ１において、システム制御部３は、サーチ動作を開始すると、次のステップＳＰ２へ移る。
【０１０２】
ステップＳＰ２において、システム制御部３は、フォーカスエラー信号ＳＦＥにおいて表面反射パターンＰＳｒにおけるゼロクロス点ＺＣｓを、ＣＤ用焦点Ｆｃがディスク表面に到達した時点として検出すると、次のステップＳＰ３へ移る。
【０１０３】
ステップＳＰ３において、システム制御部３は、カウンタにより表面反射パターンＰＳｒのゼロクロス点ＺＣｓを検出してからの時間の計測を開始すると、次のステップＳＰ４へ移る。
【０１０４】
ステップＳＰ４において、システム制御部３は、表面フェイクパターンＰＳｆ１におけるゼロクロス点ＺＣｆをＤＶＤ用焦点Ｆｄがディスク表面に到達した時点として検出すると、次のステップＳＰ５へ移る。
【０１０５】
ステップＳＰ５において、システム制御部３は、ステップＳＰ２においてゼロクロス点ＺＣｓを検出してからステップＳＰ４においてゼロクロス点ＺＣｆを検出するまでの時間を焦点時間差ＭＴｆとして記憶し、次のステップＳＰ６へ移る。
【０１０６】
ステップＳＰ６において、システム制御部３は、記録面反射パターンＰＲｒにおけるゼロクロス点ＺＣｒを検出すると、ゼロクロス点ＺＣｓを検出してから当該ゼロクロス点ＺＣｒを検出するまでの時間を総検出時間ＭＴＡとして記憶し、次のステップＳＰ７へ移る。
【０１０７】
ステップＳＰ７において、システム制御部３は、総検出時間ＭＴＡから焦点時間差ＭＴｆを減算することにより、ＤＶＤ用焦点Ｆｄがディスク表面に到達してからＣＤ用焦点Ｆｃが信号記録面に到達するまでの時間差を面時間差ＭＴｒとして算出すると、次のステップＳＰ８へ移る。
【０１０８】
ステップＳＰ８において、システム制御部３は、焦点時間差ＭＴｆに対する面時間差ＭＴｒの比である検出時間比ＭＴｏを算出することにより、面時間差ＭＴｒを焦点時間差ＭＴｆによって正規化すると、次のステップＳＰ９へ移る。
【０１０９】
ステップＳＰ９において、システム制御部３は、検出時間比ＭＴｏがＣＤ閾値以上であるか否かについて判別する。
【０１１０】
ここで肯定結果が得られた場合、このことは未知ディスク１００ｘのカバー層の厚さがＣＤ閾値の表すカバー層の厚さよりも大きいことを表しており、このときシステム制御部３は、次のステップＳＰ１０へ移る。
【０１１１】
ステップＳＰ１０において、システム制御部３は、未知ディスク１００ｘをＣＤメディア１００ｃであると判別し、終了ステップへ移って処理を終了する。
【０１１２】
これに対してステップＳＰ９において否定結果が得られた場合、このことは未知ディスク１００ｘのカバー層の厚さがＣＤ閾値の表すカバー層の厚さよりも小さいことを表しており、このときシステム制御部３は、次のステップＳＰ１１へ移る。
【０１１３】
ステップＳＰ１１において、システム制御部３は、未知ディスク１００ｘがデュアルＣＤ面であると判別し、終了ステップへ移って処理を終了する。
【０１１４】
このように光ディスク装置１は、焦点時間差ＭＴｆが表す対物レンズ７の移動速度と、面時間差ＭＴｒが表すカバー層の厚さとの比である検出時間比ＭＴｏを用いて未知ディスク１００ｘがＣＤメディア１００ｃであるかデュアルＣＤ面であるかを判別する。これにより光ディスク装置１は、対物レンズ７の移動速度による影響を排除し、高い精度で未知ディスク１００ｘの種類を判別し得るようになされている。
【０１１５】
（４）動作及び効果
以上の構成において、光ディスク装置１は、第１の光ディスクであるＣＤメディア１００ｃ及び当該ＣＤメディア１００ｃとはカバー層の厚さが異なる第２の光ディスクとしてのデュアルＣＤ面に対応する第１の光ビームとしてのＣＤ用光ビームＬｃを第１の焦点であるＣＤ用焦点Ｆｃ１に集光することにより当該ＣＤ用光ビームＬｃをＣＤメディア１００ｃの信号記録面に照射すると共に、他の光ディスクであるＤＶＤメディア１００ｄに対応しＣＤ用光ビームＬｃとは波長が異なる他の光ビームとしてのＤＶＤ用光ビームＬｄを第２の焦点であるＤＶＤ用焦点Ｆｄに集光することにより当該ＤＶＤ用光ビームをＤＶＤメディア１００ｄの信号記録面に照射する対物レンズ７を有している。
【０１１６】
この結果光ディスク装置１では、種類が未知である未知ディスク１００に対してＣＤ用光ビームＬｃを照射する際、ＣＤ用焦点ＦｃだけでなくＤＶＤ用焦点Ｆｄにも焦点を結ぶことになる。
【０１１７】
光ディスク装置１は、種類が未知である未知ディスク１００ｘに対して離隔又は近接させるフォーカス方向に対物レンズ７を一定の移動速度で駆動し、未知ディスク１００ｘによってＣＤ用光ビームＬｃが反射されてなる反射光ビームの光量に基づく反射光信号としてフォーカスエラー信号ＳＦＥを生成する。
【０１１８】
光ディスク装置１は、フォーカスエラー信号ＳＦＥを基に、未知ディスク１００ｘの表面が検出された時点ｔ４と信号記録面が検出された時点ｔ７との面時間差ＭＴｒを、未知ディスク１００ｘの表面にＣＤ用焦点が到達した時点ｔ２とＤＶＤ用焦点Ｆｄが到達した時点ｔ４との焦点時間差ＭＴｆによって正規化した正規化値である検出時間比ＭＴｏを算出する。
【０１１９】
そして光ディスク装置１は、当該検出時間比ＭＴｏから未知ディスク１００ｘがＣＤメディア１００ｃであるかデュアルＣＤ面であるかを判別するようにした。
【０１２０】
ここでＣＤ用焦点Ｆｃ及びＤＶＤ用焦点Ｆｄは常に一定の距離でなることから、焦点時間差ＭＴｆは対物レンズ７の移動速度の変化によってのみ変化することになる。また、面時間差ＭＴｒはカバー層の厚さ及び対物レンズ７の移動速度に応じて変化することになる。
【０１２１】
光ディスク装置１は、面時間差ＭＴｒを焦点時間差ＭＴｆで除算して正規化することにより、正規化された検出時間比ＭＴｏから対物レンズ７の移動速度の因子を取り除くことができ、当該検出時間比ＭＴｏをカバー層の厚さにのみ応じた値にすることができる。このため光ディスク装置１は、検出時間比ＭＴｏからカバー層の厚さの異なるＣＤメディア１００ｃ又はデュアルＣＤ面を高い精度で判別することができる。
【０１２２】
また光ディスク装置１は、ＤＶＤ用焦点Ｆｄが未知ディスク１００ｘの表面に到達した時点ｔ４とＣＤ用焦点Ｆｃが未知ディスク１００ｘの信号記録面に到達した時点ｔ７との時間差を面時間差ＭＴｒとするようにした。
【０１２３】
これにより光ディスク装置１は、カバー層全体の厚さに応じた時間差からカバー層の厚さによって変化しない一定の値を減算して面時間差ＭＴｒにおけるカバー層の厚みの差異を大きく表した上で、当該面時間差ＭＴｒを焦点時間差ＭＴｆによって正規化することができる。
【０１２４】
この結果光ディスク装置１は、カバー層全体の厚さに応じた時点ｔ２と時点ｔ７との時間差を正規化する場合と比較して、検出時間比ＭＴｏにおけるカバー層の厚さに応じた値の変化を大きくすることができる。この結果光ディスク装置１は、検出時間比ＭＴｏに基づいて正確にＣＤメディア１００ｃとデュアルＣＤ面とを判別することができる。
【０１２５】
従来の手法では、表面フェイクパターンＰＳｆ１は、記録面反射パターンＰＲｒと誤検出される可能性があり、正常な判断を妨げるものになりかねない。本発明の光ディスク装置１では、表面反射パターンＰＳｒと表面フェイクパターンＰＳｆ１との検出タイミングの関係を積極的に使用し、メディアの種類判別に使用する。このため光ディスク装置１は、この表面フェイクパターンＰＳｆ１の存在によって、判別の精度を向上させることができる。
【０１２６】
さらに光ディスク装置１は、フォーカスエラー信号ＳＦＥにおいてＣＤ用焦点Ｆｃが未知ディスク１００ｘの表面に到達した時点ｔ２を表面反射パターンＰＳｒとして検出し、フォーカスエラー信号ＳＦＥにおいてＤＶＤ用焦点Ｆｄが未知ディスク１００ｘの表面に到達した時点ｔ４を表面フェイクパターンＰＳｆ１として検出し、フォーカスエラー信号ＳＦＥにおいてＣＤ用焦点Ｆｃが未知ディスク１００ｘの信号記録面に到達した時点ｔ７を記録面反射パターンＰＲｒとして検出する。
【０１２７】
これにより光ディスク装置１は、単にフォーカスエラー信号ＳＦＥを監視するのみの簡易な処理によって時点ｔ２、ｔ４及びｔ７を検出することができる。
【０１２８】
また光ディスク装置１は、光ディスク１００に対するフォーカス方向のずれ量を表すフォーカスエラー信号ＳＦＥを反射光信号として用いるようにした。これにより光ディスク装置１は、Ｓ字信号におけるゼロクロス点ＺＣを検出し、ＣＤ用焦点Ｆｃ又はＤＶＤ用焦点がディスク表面や信号記録面に到達した時点とすることにより、各時点を正確に検出することができる。
【０１２９】
さらに光ディスク装置１は、ＣＤメディア１００ｃとデュアルディスクのＣＤ面の判別に本発明を適用するようにした。これにより光ディスク装置１は、従来の手法ではカバー層の厚みの差異が小さく誤判別の生じ易いようなＣＤメディア１００ｃ及びデュアルディスクの判別を適切に行うことができる。
【０１３０】
以上の構成によれば、光ディスク装置１は、ＣＤ用焦点ＦｃとＤＶＤ用焦点Ｆｄとの距離が変化せず、対物レンズ７の移動速度をそのまま表していることを利用してＣＤ用光ビームＬｃがディスク表面に合焦してから信号記録面に合焦するまでの面時間差ＭＴｒをＣＤ用焦点Ｆｃ及びＤＶＤ用焦点Ｆｄがディスク表面に到達する焦点時間差ＭＴｆによって正規化して検出時間比ＭＴｏを生成し、当該検出時間比ＭＴｏから未知ディスク１００ｘの種別を判別するようにした。
【０１３１】
これにより光ディスク装置１は、対物レンズ７の移動速度によって変化しない検出時間比ＭＴｏを用い、当該検出時間比ＭＴｏが表すカバー層の厚さから未知ディスク１００ｘの種類を判別することができ、かくして対物レンズの移動速度の変化に拘わらず、カバー層の異なる第１の光ディスクと第２の光ディスクとを正しく認識し得る光ディスク装置及びメディア種類判別方法を実現できる。
【０１３２】
（５）他の実施の形態
なお上述した実施の形態においては、対物レンズ７が３つの開口数を有するようにした場合について述べたが、本発明はこれに限らず、２又は４以上の開口数を有するようにしても良い。
【０１３３】
また上述した実施の形態においては、サーチ動作の際、対物レンズ７を光ディスク１００に対して離隔した状態から近接させるようにした場合について述べたが、本発明はこれに限らず、近接させた状態から離隔させるようにしても良い。
【０１３４】
さらに上述した実施の形態においては、反射光信号としてフォーカスエラー信号ＳＦＥを使用するようにした場合について述べたが、本発明はこれに限らず、例えばプルイン信号ＳＰＩを使用するようにしても良い。この場合、プルイン信号ＳＰＩの極大点を未知ディスク１００ｘの表面及び信号記録面として検出することにより、上述した実施の形態と同様、正確な判別が可能となる。またプルイン信号ＳＰＩにおいて所定の閾値以上となる信号レベルを未知ディスク１００ｘの表面及び信号記録面として検出するようにしても良い。
【０１３５】
さらに上述した実施の形態においては、ＢＤメディア１００ｂ、ＤＶＤメディア１００ｄ、ＣＤメディア１００ｃ順に光ディスクの種類を判別するようにした場合について述べたが、本発明はこれに限らず、種々の順序で光ディスクの種類を判別するようにしても良い。
【０１３６】
さらに上述した実施の形態においては、ＣＤメディア１００ｃとデュアルＣＤ面との判別に本発明を適用するようにした場合について述べたが、本発明はこれに限らず、要は同一の波長でなる光ビームに対応し、かつカバー層の異なるような種々の光ディスクの種類判別に適用することができる。
【０１３７】
さらに上述した実施の形態においては、ＤＶＤ用焦点Ｆｄが未知ディスク１００ｘの表面に到達した時点ｔ４とＣＤ用焦点Ｆｃが未知ディスク１００ｘの信号記録面に到達した時点ｔ７の時間差を正規化するようにした場合について述べたが、本発明はこれに限らず、ＣＤ用焦点Ｆｄが未知ディスク１００ｘの表面に到達した時点ｔ２とＣＤ用焦点Ｆｃが未知ディスク１００ｘの信号記録面に到達した時点ｔ７の時間差を正規化するようにしても良い。この場合であっても上述した実施の形態と同様の効果を得ることができる。
【０１３８】
さらに上述した実施の形態においては、総検出時間ＭＴＡから焦点時間差ＭＴｆを減算することにより面時間差ＭＴｒを算出するようにした場合について述べたが、本発明は限らず、例えば時点ｔ４においてカウンタをリセットし、面時間差ＭＴｒを直接計測するようにしても良い。
【０１３９】
さらに上述した実施の形態においては、ＣＤ判別処理においてデュアルＣＤ面と判別されると、補正機構によって球面収差を補正する場合について述べたが、本発明はこれに限らず、例えば光ディスク１００を排出したり、表示部にその旨を表示するなどのエラー処理を実行するようにしても良い。また単にそのまま処理を終了するようにしても良い。
【０１４０】
さらに上述した実施の形態においては、第２の焦点としてＤＶＤ用焦点Ｆｄを用いるようにした場合について述べたが、本発明はこれに限らず、ＢＤ用焦点Ｆｂを用いるようにしても良い。
【０１４１】
さらに上述した実施の形態においては、表面反射パターンＥＳｒと記録面反射パターンＥＲｒとの間に表われる表面フェイクパターンＥＳｆ１のゼロクロス点ＺＣｆを第２の焦点がディスク表面に到達する時点とするようにした場合について述べたが、本発明はこれに限らず、例えば表面反射パターンＥＳｒ及び記録面反射パターンＥＲｒの後に表われる表面フェイクパターンＥＳｆのゼロクロス点を検出し、第２の焦点がディスク表面に到達する時点とするようにしても良い。
【０１４２】
さらに上述した実施の形態においては、集光レンズと光学素子との組み合わせにより対物レンズ７を構成するようにした場合について述べたが、本発明はこれに限らず、集光レンズ単体によって対物レンズ７を構成するようにしても良く、要は対物レンズ７が複数の焦点を有している波長選択多焦点レンズとして作用すればよい。
【０１４３】
さらに上述した実施の形態においては、対物レンズ７がＣＤ用の波長７８０［ｎｍ］、ＤＶＤ用の波長６６０［ｎｍ］及びＢＤ用の波長４０５［ｎｍ］の３波長に対応するようにした場合について述べたが、本発明はこれに限らず、種々の波長に対応するようにしても良い。
【０１４４】
さらに上述した実施の形態においては、レーザダイオード６が単波長のレーザ光を出射するＣＤ用レーザダイオード６ｃ、ＤＶＤ用レーザダイオード６ｄ、及びＢＤ用レーザダイオード６ｂにより構成されるようにした場合について述べたが、本発明はこれに限らず、レーザダイオード６として、例えばＣＤ／ＤＶＤ用の２種類の波長の光ビームを出射し得る２波長対応レーザダイオードとＢＤ用レーザダイオード６ｂとを組み合わせるようにし、或いはＣＤ／ＤＶＤ／ＢＤ用の３種類の波長の光ビームを出射し得る３波長対応レーザダイオードを用いるようにしても良い。
【０１４５】
さらに上述した実施の形態においては、光ディスク装置１が光ディスク１００に情報を記録し、また当該光ディスク１００から情報を再生する、すなわち記録及び再生の両方を行うようにした場合について述べたが、本発明はこれに限らず、例えば光ディスク装置１が情報の再生のみを行う光ディスク再生装置や情報の記録のみを行う光ディスク記録装置である場合に本発明を適用するようにしても良い。さらには、光ディスク装置１がＣＤメディア１００ｃ及びＤＶＤメディア１００ｄについては記録及び再生の両方を行い、ＢＤメディア１００ｂについては再生のみを行う場合に本発明を適用するようにしても良い。
【０１４６】
さらに上述した実施の形態においては、第１の光源としてのレーザダイオード６ｃと、他の光源としてのレーザダイオード６ｄと、対物レンズとしての対物レンズ７と、駆動部としてのアクチュエータ８と、信号処理部としての信号生成部１０と、判別部及び正規化部としてのシステム制御部３とによって光ディスク装置としての光ディスク装置１を構成する場合について述べたが、本発明はこれに限らず、その他種々の構成でなる第１の光源と、他の光源と、対物レンズと、駆動部と、信号処理部と、正規化部と、判別部とによって本発明の光ディスク装置を構成するようにしても良い。
【産業上の利用可能性】
【０１４７】
本発明は、複数の種類の光ディスクに対応した光ディスク装置に利用できる。
【図面の簡単な説明】
【０１４８】
【図１】従来のメディア種類の判別の説明に供する略線図である。
【図２】ＣＤメディアとデュアルディスクのフォーカスエラー信号の説明に供する略線図である。
【図３】移動速度の差異によるフォーカスエラー信号の変化の説明に供する略線図である。
【図４】光ディスク装置の構成を示す略線図である。
【図５】ＣＤメディアにＣＤ用光ビームを照射した場合の説明に供する略線図である。
【図６】各パターンの関係の説明に供する略線図である。
【図７】移動速度が大きい場合の説明に供する略線図である。
【図８】移動速度が小さい場合の説明に供する略線図である。
【図９】ＣＤ判別処理の説明に供する略線図である。
【図１０】ＣＤ判別処理手順を示すフローチャートである。
【符号の説明】
【０１４９】
１……光ディスク装置、２……制御部、３……システム制御部、３Ａ……整合フィルタ設定部、３Ｂ……メディア判別部、４……サーボ制御部、５……光ピックアップ、６、６ｂ、６ｃ、６ｄ……レーザダイオード、７……対物レンズ、８……アクチュエータ、９……フォトディテクタ、１０……信号生成部、１００……光ディスク、１００ｃ……ＣＤメディア、１００ｄ……ＤＶＤメディア、１００ｂ……ＢＤメディア、１００ｘ……未知ディスク、ＳＦＥ……フォーカスエラー信号、ＳＰＩ……プルイン信号、ＰＳｒ……表面反射パターン、ＰＲｒ……記録面反射パターン、Ｐｆ……フェイクパターン。
【図１】
2009245540.tif 000005
【図２】
2009245540.tif 000006
【図３】
2009245540.tif 000007
【図４】
2009245540.tif 000008
【図５】
2009245540.tif 000009
【図６】
2009245540.tif 000010
【図７】
2009245540.tif 000011
【図８】
2009245540.tif 000012
【図９】
2009245540.tif 000013
【図１０】
2009245540.tif 000014